【手続補正書】
【提出日】平成21年5月14日(2009.5.14)
【手続補正１】
【補正対象書類名】特許請求の範囲
【補正対象項目名】全文
【補正方法】変更
【補正の内容】
【特許請求の範囲】
【請求項１】
電子ペーパーと、この電子ペーパーが着脱自在に装着されるペーパー装着部とを有する電子ペーパー記録装置であって、
前記電子ペーパーは、
当該ペーパー面を不揮発性の表示画面とする不揮発性表示手段と、
前記ペーパー装着部との間で信号を送受信する通信手段とを備え、
前記ペーパー装着部は、
前記電子ペーパーを載せて装着した際にその下敷きとなる下敷き構造部と、
前記電子ペーパーとの間で信号を送受信する通信手段と、
前記下敷き構造部に載せて装着した前記電子ペーパーの表示画面に対するユーザ操作位置を検出する操作位置検出手段と、
この操作位置検出手段により検出された前記電子ペーパーの表示画面に対するユーザ操作位置に応じたデータを前記通信手段を介して前記電子ペーパーへ送信し、当該電子ペーパーの不揮発性表示手段により表示させる表示制御手段とを備えた、
ことを特徴とする電子ペーパー記録装置。
【請求項２】
さらに、
電子ペンを備え、
前記ペーパー装着部の操作位置検出手段は、前記電子ペーパーの表示画面に対する前記電子ペンによるユーザ操作位置を検出する、
ことを特徴とする請求項１に記載の電子ペーパー記録装置。
【請求項３】
前記電子ペーパーは、さらに、当該電子ペーパーの表面上に他の電子ペーパーが重ねられているか否かを検出する重なり検出手段を備え、
前記ペーパー装着部は、さらに、前記電子ペーパーの重なり検出手段から通信手段を介して受信される重なり検出信号に基づき重なり無しの電子ペーパーを有効な電子ペーパーとして判別する有効ペーパー判別手段を備え、
前記表示制御手段は、前記操作位置検出手段により検出された前記電子ペーパーの表示画面に対するユーザ操作位置に応じたデータを前記有効ペーパー判別手段により有効判別された電子ペーパーへ前記通信手段を介して送信し、当該電子ペーパーの不揮発性表示手段により表示させる、
ことを特徴とする請求項１に記載の電子ペーパー記録装置。
【請求項４】
前記電子ペーパーは、さらに、前記ペーパー装着部における下敷き構造部の下敷き面に対応して装着された状態であることを当該ペーパー装着部へ通知する装着状態通知手段を備え、
前記ペーパー装着部の有効ペーパー判別手段は、前記電子ペーパーの重なり検出手段から通信手段を介して受信される重なり検出信号および前記装着状態通知手段により通知される下敷き構造部での装着状態に基づき重なり無しで下敷き面に対応して装着された電子ペーパーを有効な電子ペーパーとして判別する、
ことを特徴とする請求項３に記載の電子ペーパー記録装置。
【請求項５】
前記電子ペーパーは、さらに、当該電子ペーパーのサイズ情報を記憶するペーパーサイズ記憶手段を備え、
前記ペーパー装着部の有効ペーパー判別手段は、前記電子ペーパーの重なり検出手段から通信手段を介して受信される重なり検出信号および前記装着状態通知手段により通知される下敷き構造部での装着状態および前記ペーパーサイズ記憶手段から通信手段を介して読み出されるペーパーサイズ情報に基づき重なり無しで下敷き面に対応して装着された最小サイズの電子ペーパーを有効な電子ペーパーとして判別する、
ことを特徴とする請求項４に記載の電子ペーパー記録装置。
【請求項６】
前記ペーパー装着部は、さらに、電源手段と、この電源手段により出力される電力を無線により前記電子ペーパーへ供給する電源供給手段とを備え、
前記電子ペーパーは、さらに、前記ペーパー装着部の電源供給手段により無線により供給される電力を無線により受給する電源受給手段を備えた、
ことを特徴とする請求項１に記載の電子ペーパー記録装置。
【請求項７】
前記電子ペーパーは、さらに、当該電子ペーパーの識別子を記憶するペーパー識別子記憶手段を備え、
前記ペーパー装着部は、さらに、前記電子ペーパーのペーパー識別子記憶手段から通信手段を介して読み出される電子ペーパーの識別子に応じて当該ペーパー装着部に装着された複数の電子ペーパーそれぞれを識別する電子ペーパー識別手段を備えた、
ことを特徴とする請求項１に記載の電子ペーパー記録装置。
【請求項８】
前記ペーパー装着部の通信手段は、前記電子ペーパーの綴じ込み部に対応して設けられ電磁誘導により信号を送受信するための磁気コアを有し、
前記電子ペーパーの通信手段は、前記ペーパー装着部の通信手段が有する磁気コアの位置に対応して設けられた磁気コアと、この磁気コアを囲んで設けられ電磁誘導により信号を送受信するための平面環状コイルとを有する、
ことを特徴とする請求項１に記載の電子ペーパー記録装置。
【請求項９】
前記ペーパー装着部の電源供給手段は、前記電子ペーパーの綴じ込み部に対応して設けられ、前記電源手段により出力される電源電圧信号を電磁誘導により前記電子ペーパーへ供給するための磁気コアを有し、
前記電子ペーパーの電源受給手段は、前記ペーパー装着部の電源供給手段が有する磁気コアの位置に対応して設けられた磁気コアと、この磁気コアを囲んで設けられ電磁誘導により供給される電源電圧信号を受給するための平面環状コイルとを有する、
ことを特徴とする請求項６に記載の電子ペーパー記録装置。
【請求項１０】
前記ペーパー装着部の通信手段は、前記電子ペーパーの綴じ込み用の孔に対応して設けられ電磁誘導により信号を送受信するための凸型磁気コアを有し、
前記電子ペーパーの通信手段は、前記ペーパー装着部の通信手段が有する凸型磁気コアの凸状部が挿通される綴じ込み用の孔を囲んで設けられ電磁誘導により信号を送受信するための平面環状コイルを有する、
ことを特徴とする請求項１に記載の電子ペーパー記録装置。
【請求項１１】
前記ペーパー装着部の電源供給手段は、前記電子ペーパーの綴じ込み用の孔に対応して設けられ、前記電源手段により出力される電源電圧信号を電磁誘導により前記電子ペーパーへ供給するための凸型磁気コアを有し、
前記電子ペーパーの電源受給手段は、前記ペーパー装着部の電源供給手段が有する凸型磁気コアの凸状部が挿通される綴じ込み用の孔を囲んで設けられ電磁誘導により供給される電源電圧信号を受給するための平面環状コイルを有する、
ことを特徴とする請求項６に記載の電子ペーパー記録装置。
【請求項１２】
前記電子ペーパーは、さらに、前記ペーパー装着部に対する装着位置を当該ペーパー装着部へ通知する装着位置通知手段を備え、
前記ペーパー装着部は、さらに、前記操作位置検出手段により検出された前記電子ペーパーの表示画面に対するユーザ操作位置を前記電子ペーパーの前記装着位置通知手段により通知される装着位置に応じて補正する位置補正手段を備え、
前記表示制御手段は、前記位置補正手段により補正された後の前記電子ペーパーの表示画面に対するユーザ操作位置に応じたデータを前記通信手段を介して前記電子ペーパーへ送信し、当該電子ペーパーの不揮発性表示手段により表示させる、
ことを特徴とする請求項１に記載の電子ペーパー記録装置。
【請求項１３】
前記ペーパー装着部の操作位置検出手段は、電磁誘導信号の発生位置を検出するタブレットからなり、
前記電子ペーパーの装着状態通知手段は、当該電子ペーパーに設けられて電磁誘導信号を発生し前記ペーパー装着部の前記タブレットに検出させるための電磁誘導コイルである、
ことを特徴とする請求項４に記載の電子ペーパー記録装置。
【請求項１４】
前記ペーパー装着部の操作位置検出手段は、電磁誘導信号の発生位置を検出するタブレットからなり、
前記電子ペーパーの装着位置通知手段は、当該電子ペーパーの複数箇所に設けられて電磁誘導信号を発生し前記ペーパー装着部の前記タブレットに位置検出させるための電磁誘導コイルである、
ことを特徴とする請求項１２に記載の電子ペーパー記録装置。
【請求項１５】
前記ペーパー装着部は、さらに、前記電子ペーパーをソフトキーボードとして機能させるソフトキー制御手段を備えたことを特徴とする請求項１に記載の電子ペーパー記録装置。
【請求項１６】
前記電子ペーパーは、
さらに、当該電子ペーパーの識別子を記憶するペーパー識別子記憶手段を備え、
前記ペーパー装着部は、
さらに、外部のネットワーク上にあるサーバ装置と接続する外部接続手段と、
前記電子ペーパーのペーパー識別子記憶手段から通信手段を介して読み出される電子ペーパーの識別子を前記外部接続手段により接続されたサーバ装置へ送信するペーパー識別子送信手段と、
前記操作位置検出手段により検出された前記電子ペーパーの表示画面に対するユーザ操作位置を前記外部接続手段により接続されたサーバ装置へ送信するユーザ操作位置送信手段と、を備え、
前記表示制御手段は、
前記ペーパー識別子送信手段により前記電子ペーパーの識別子を前記サーバ装置へ送信し、前記ユーザ操作位置送信手段による前記電子ペーパーの表示画面に対するユーザ操作位置の前記サーバ装置への送信に応答して当該サーバ装置から受信されたデータを前記通信手段を介して前記電子ペーパーへ送信し、当該電子ペーパーの不揮発性表示手段により表示させる、
ことを特徴とする請求項１に記載の電子ペーパー記録装置。
【請求項１７】
前記ペーパー装着部は、
前記下敷き構造部の代わりに、
前記電子ペーパーを挟み込んで装着するバインダー構造部、を備え、
さらに、外部の携帯通信機器と接続する外部接続手段、を備え、
前記表示制御手段は、
この外部接続手段を介して前記携帯通信機器から受信されたデータを前記通信手段を介して前記電子ペーパーへ送信し、当該電子ペーパーの不揮発性表示手段により表示させる、
ことを特徴とする請求項１に記載の電子ペーパー記録装置。
【手続補正２】
【補正対象書類名】明細書
【補正対象項目名】０００５
【補正方法】変更
【補正の内容】
【０００５】
請求項１に記載の電子ペーパー記録装置は、電子ペーパーと、この電子ペーパーが着脱自在に装着されるペーパー装着部とを有する電子ペーパー記録装置であって、
前記電子ペーパーは、当該ペーパー面を不揮発性の表示画面とする不揮発性表示手段と、前記ペーパー装着部との間で信号を送受信する通信手段とを備え、
前記ペーパー装着部は、前記電子ペーパーを載せて装着した際にその下敷きとなる下敷き構造部と、前記電子ペーパーとの間で信号を送受信する通信手段と、前記下敷き構造部に載せて装着した前記電子ペーパーの表示画面に対するユーザ操作位置を検出する操作位置検出手段と、この操作位置検出手段により検出された前記電子ペーパーの表示画面に対するユーザ操作位置に応じたデータを前記通信手段を介して前記電子ペーパーへ送信し、当該電子ペーパーの不揮発性表示手段により表示させる表示制御手段とを備えたことを特徴としている。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
請求項２に記載の電子ペーパー記録装置は、前記請求項１に記載の電子ペーパー記録装置において、さらに、電子ペンを備え、前記ペーパー装着部の操作位置検出手段は、前記電子ペーパーの表示画面に対する前記電子ペンによるユーザ操作位置を検出することを特徴としている。
【手続補正５】
【補正対象書類名】明細書
【補正対象項目名】０００８
【補正方法】変更
【補正の内容】
【０００８】
請求項３に記載の電子ペーパー記録装置は、前記請求項１に記載の電子ペーパー記録装置において、前記電子ペーパーは、さらに、当該電子ペーパーの表面上に他の電子ペーパーが重ねられているか否かを検出する重なり検出手段を備え、前記ペーパー装着部は、さらに、前記電子ペーパーの重なり検出手段から通信手段を介して受信される重なり検出信号に基づき重なり無しの電子ペーパーを有効な電子ペーパーとして判別する有効ペーパー判別手段を備え、前記表示制御手段は、前記操作位置検出手段により検出された前記電子ペーパーの表示画面に対するユーザ操作位置に応じたデータを前記有効ペーパー判別手段により有効判別された電子ペーパーへ前記通信手段を介して送信し、当該電子ペーパーの不揮発性表示手段により表示させることを特徴としている。
【手続補正６】
【補正対象書類名】明細書
【補正対象項目名】０００９
【補正方法】変更
【補正の内容】
【０００９】
請求項４に記載の電子ペーパー記録装置は、前記請求項３に記載の電子ペーパー記録装置において、前記電子ペーパーは、さらに、前記ペーパー装着部における下敷き構造部の下敷き面に対応して装着された状態であることを当該ペーパー装着部へ通知する装着状態通知手段を備え、前記ペーパー装着部の有効ペーパー判別手段は、前記電子ペーパーの重なり検出手段から通信手段を介して受信される重なり検出信号および前記装着状態通知手段により通知される下敷き構造部での装着状態に基づき重なり無しで下敷き面に対応して装着された電子ペーパーを有効な電子ペーパーとして判別することを特徴としている。
【手続補正７】
【補正対象書類名】明細書
【補正対象項目名】００１０
【補正方法】変更
【補正の内容】
【００１０】
請求項５に記載の電子ペーパー記録装置は、前記請求項４に記載の電子ペーパー記録装置において、前記電子ペーパーは、さらに、当該電子ペーパーのサイズ情報を記憶するペーパーサイズ記憶手段を備え、前記ペーパー装着部の有効ペーパー判別手段は、前記電子ペーパーの重なり検出手段から通信手段を介して受信される重なり検出信号および前記装着状態通知手段により通知される下敷き構造部での装着状態および前記ペーパーサイズ記憶手段から通信手段を介して読み出されるペーパーサイズ情報に基づき重なり無しで下敷き面に対応して装着された最小サイズの電子ペーパーを有効な電子ペーパーとして判別することを特徴としている。
【手続補正８】
【補正対象書類名】明細書
【補正対象項目名】００１１
【補正方法】変更
【補正の内容】
【００１１】
請求項６に記載の電子ペーパー記録装置は、前記請求項１に記載の電子ペーパー記録装置において、前記ペーパー装着部は、さらに、電源手段と、この電源手段により出力される電力を無線により前記電子ペーパーへ供給する電源供給手段とを備え、前記電子ペーパーは、さらに、前記ペーパー装着部の電源供給手段により無線により供給される電力を無線により受給する電源受給手段を備えたことを特徴としている。
【手続補正９】
【補正対象書類名】明細書
【補正対象項目名】００１２
【補正方法】変更
【補正の内容】
【００１２】
請求項７に記載の電子ペーパー記録装置は、前記請求項１に記載の電子ペーパー記録装置において、前記電子ペーパーは、さらに、当該電子ペーパーの識別子を記憶するペーパー識別子記憶手段を備え、前記ペーパー装着部は、さらに、前記電子ペーパーのペーパー識別子記憶手段から通信手段を介して読み出される電子ペーパーの識別子に応じて当該ペーパー装着部に装着された複数の電子ペーパーそれぞれを識別する電子ペーパー識別手段を備えたことを特徴としている。
【手続補正１０】
【補正対象書類名】明細書
【補正対象項目名】００１３
【補正方法】変更
【補正の内容】
【００１３】
請求項８に記載の電子ペーパー記録装置は、前記請求項１に記載の電子ペーパー記録装置において、前記ペーパー装着部の通信手段は、前記電子ペーパーの綴じ込み部に対応して設けられ電磁誘導により信号を送受信するための磁気コアを有し、前記電子ペーパーの通信手段は、前記ペーパー装着部の通信手段が有する磁気コアの位置に対応して設けられた磁気コアと、この磁気コアを囲んで設けられ電磁誘導により信号を送受信するための平面環状コイルとを有することを特徴としている。
【手続補正１１】
【補正対象書類名】明細書
【補正対象項目名】００１４
【補正方法】変更
【補正の内容】
【００１４】
請求項９に記載の電子ペーパー記録装置は、前記請求項６に記載の電子ペーパー記録装置において、前記ペーパー装着部の電源供給手段は、前記電子ペーパーの綴じ込み部に対応して設けられ、前記電源手段により出力される電源電圧信号を電磁誘導により前記電子ペーパーへ供給するための磁気コアを有し、前記電子ペーパーの電源受給手段は、前記ペーパー装着部の電源供給手段が有する磁気コアの位置に対応して設けられた磁気コアと、この磁気コアを囲んで設けられ電磁誘導により供給される電源電圧信号を受給するための平面環状コイルとを有することを特徴としている。
【手続補正１２】
【補正対象書類名】明細書
【補正対象項目名】００１５
【補正方法】変更
【補正の内容】
【００１５】
請求項１０に記載の電子ペーパー記録装置は、前記請求項１に記載の電子ペーパー記録装置において、前記ペーパー装着部の通信手段は、前記電子ペーパーの綴じ込み用の孔に対応して設けられ電磁誘導により信号を送受信するための凸型磁気コアを有し、前記電子ペーパーの通信手段は、前記ペーパー装着部の通信手段が有する凸型磁気コアの凸状部が挿通される綴じ込み用の孔を囲んで設けられ電磁誘導により信号を送受信するための平面環状コイルを有することを特徴としている。
【手続補正１３】
【補正対象書類名】明細書
【補正対象項目名】００１６
【補正方法】変更
【補正の内容】
【００１６】
請求項１１に記載の電子ペーパー記録装置は、前記請求項６に記載の電子ペーパー記録装置において、前記ペーパー装着部の電源供給手段は、前記電子ペーパーの綴じ込み用の孔に対応して設けられ、前記電源手段により出力される電源電圧信号を電磁誘導により前記電子ペーパーへ供給するための凸型磁気コアを有し、
前記電子ペーパーの電源受給手段は、前記ペーパー装着部の電源供給手段が有する凸型磁気コアの凸状部が挿通される綴じ込み用の孔を囲んで設けられ電磁誘導により供給される電源電圧信号を受給するための平面環状コイルを有することを特徴としている。
【手続補正１４】
【補正対象書類名】明細書
【補正対象項目名】００１７
【補正方法】変更
【補正の内容】
【００１７】
請求項１２に記載の電子ペーパー記録装置は、前記請求項１に記載の電子ペーパー記録装置において、前記電子ペーパーは、さらに、前記ペーパー装着部に対する装着位置を当該ペーパー装着部へ通知する装着位置通知手段を備え、前記ペーパー装着部は、さらに、前記操作位置検出手段により検出された前記電子ペーパーの表示画面に対するユーザ操作位置を前記電子ペーパーの前記装着位置通知手段により通知される装着位置に応じて補正する位置補正手段を備え、前記表示制御手段は、前記位置補正手段により補正された後の前記電子ペーパーの表示画面に対するユーザ操作位置に応じたデータを前記通信手段を介して前記電子ペーパーへ送信し、当該電子ペーパーの不揮発性表示手段により表示させることを特徴としている。
【手続補正１５】
【補正対象書類名】明細書
【補正対象項目名】００１８
【補正方法】変更
【補正の内容】
【００１８】
請求項１３に記載の電子ペーパー記録装置は、前記請求項４に記載の電子ペーパー記録装置において、前記ペーパー装着部の操作位置検出手段は、電磁誘導信号の発生位置を検出するタブレットからなり、前記電子ペーパーの装着状態通知手段は、当該電子ペーパーに設けられて電磁誘導信号を発生し前記ペーパー装着部の前記タブレットに検出させるための電磁誘導コイルであることを特徴としている。
【手続補正１６】
【補正対象書類名】明細書
【補正対象項目名】００１９
【補正方法】変更
【補正の内容】
【００１９】
請求項１４に記載の電子ペーパー記録装置は、前記請求項１２に記載の電子ペーパー記録装置において、前記ペーパー装着部の操作位置検出手段は、電磁誘導信号の発生位置を検出するタブレットからなり、前記電子ペーパーの装着位置通知手段は、当該電子ペーパーの複数箇所に設けられて電磁誘導信号を発生し前記ペーパー装着部の前記タブレットに位置検出させるための電磁誘導コイルであることを特徴としている。
【手続補正１７】
【補正対象書類名】明細書
【補正対象項目名】００２０
【補正方法】変更
【補正の内容】
【００２０】
請求項１５に記載の電子ペーパー記録装置は、前記請求項１に記載の電子ペーパー記録装置において、前記ペーパー装着部は、さらに、前記電子ペーパーをソフトキーボードとして機能させるソフトキー制御手段を備えたことを特徴としている。
【手続補正１８】
【補正対象書類名】明細書
【補正対象項目名】００２１
【補正方法】変更
【補正の内容】
【００２１】
請求項１６に記載の電子ペーパー記録装置は、前記請求項１に記載の電子ペーパー記録装置において、前記電子ペーパーは、さらに、当該電子ペーパーの識別子を記憶するペーパー識別子記憶手段を備え、
前記ペーパー装着部は、さらに、外部のネットワーク上にあるサーバ装置と接続する外部接続手段と、前記電子ペーパーのペーパー識別子記憶手段から通信手段を介して読み出される電子ペーパーの識別子を前記外部接続手段により接続されたサーバ装置へ送信するペーパー識別子送信手段と、前記操作位置検出手段により検出された前記電子ペーパーの表示画面に対するユーザ操作位置を前記外部接続手段により接続されたサーバ装置へ送信するユーザ操作位置送信手段と、を備え、
前記表示制御手段は、前記ペーパー識別子送信手段により前記電子ペーパーの識別子を前記サーバ装置へ送信し、前記ユーザ操作位置送信手段による前記電子ペーパーの表示画面に対するユーザ操作位置の前記サーバ装置への送信に応答して当該サーバ装置から受信されたデータを前記通信手段を介して前記電子ペーパーへ送信し、当該電子ペーパーの不揮発性表示手段により表示させることを特徴としている。
【手続補正１９】
【補正対象書類名】明細書
【補正対象項目名】００２２
【補正方法】変更
【補正の内容】
【００２２】
請求項１７に記載の電子ペーパー記録装置は、前記請求項１に記載の電子ペーパー記録装置において、
前記ペーパー装着部は、前記下敷き構造部の代わりに、前記電子ペーパーを挟み込んで装着するバインダー構造部、を備え、さらに、外部の携帯通信機器と接続する外部接続手段、を備え、
前記表示制御手段は、この外部接続手段を介して前記携帯通信機器から受信されたデータを前記通信手段を介して前記電子ペーパーへ送信し、当該電子ペーパーの不揮発性表示手段により表示させることを特徴としている。
【手続補正２０】
【補正対象書類名】明細書
【補正対象項目名】００２３
【補正方法】変更
【補正の内容】
【００２３】
本発明の請求項１に記載の電子ペーパー記録装置によれば、電子ペーパーが着脱自在に装着される下敷き構造を有するペーパー装着部に対して電子ペーパーを装着し、当該電子ペーパーの表示画面に対してユーザ操作を行うと、この電子ペーパーの表示画面に対するユーザ操作位置がペーパー装着部の操作位置検出手段により検出され、この検出された前記電子ペーパーの表示画面に対するユーザ操作位置に応じたデータが、相互の通信手段を介して前記電子ペーパーへ送信され、当該電子ペーパーの不揮発性表示手段により表示されるので、電子ペーパーに対するユーザ操作に応じたデータをその不揮発性表示手段に表示させ、紙のように書き込んで取り外し持ち歩いて扱うことができる。
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】変更
【補正の内容】
【００２５】
本発明の請求項２に記載の電子ペーパー記録装置によれば、前記請求項１に記載の電子ペーパー記録装置において、ペーパー装着部に装着された電子ペーパー上での電子ペンによる手書き操作に応じて、その手書き操作位置に対応したデータが電子ペーパー面に不揮発表示されるようになる。
【手続補正２３】
【補正対象書類名】明細書
【補正対象項目名】００２６
【補正方法】変更
【補正の内容】
【００２６】
本発明の請求項３に記載の電子ペーパー記録装置によれば、前記請求項１に記載の電子ペーパー記録装置において、電子ペーパーの重なり検出手段から通信手段を介してペーパー装着部に受信される重なり検出信号に基づき重なり無しの電子ペーパーを有効な電子ペーパーとして判別し、表示制御手段は、操作位置検出手段により検出された電子ペーパーの表示画面に対するユーザ操作位置に応じたデータを前記有効判別された電子ペーパーへ送信しその不揮発性表示手段により表示させるので、複数枚重ねてペーパー装着部に装着された電子ペーパーの最上部に面した電子ペーパーを有効として、そこでのユーザ入力に応じたデータを確実にそのペーパー面に不揮発表示させることができる。
【手続補正２４】
【補正対象書類名】明細書
【補正対象項目名】００２７
【補正方法】変更
【補正の内容】
【００２７】
本発明の請求項４に記載の電子ペーパー記録装置によれば、前記請求項３に記載の電子ペーパー記録装置において、ペーパー装着部の有効ペーパー判別手段は、電子ペーパーの重なり検出手段から通信手段を介して受信される重なり検出信号および装着状態通知手段により通知される下敷き構造部での装着状態に基づき重なり無しで下敷き面に対応して装着された電子ペーパーを有効な電子ペーパーとして判別するので、複数枚重ねてペーパー装着部の下敷き上に正しく装着された電子ペーパーの最上部に面した電子ペーパーを有効として、そこでのユーザ入力に応じたデータを確実にそのペーパー面に不揮発表示させることができる。
【手続補正２５】
【補正対象書類名】明細書
【補正対象項目名】００２８
【補正方法】変更
【補正の内容】
【００２８】
本発明の請求項５に記載の電子ペーパー記録装置によれば、前記請求項４に記載の電子ペーパー記録装置において、ペーパー装着部の有効ペーパー判別手段は、電子ペーパーの重なり検出手段から通信手段を介して受信される重なり検出信号および装着状態通知手段により通知される下敷き構造部での装着状態およびペーパーサイズ記憶手段から通信手段を介して読み出されるペーパーサイズ情報に基づき重なり無しで下敷き面に対応して装着された最小サイズの電子ペーパーを有効な電子ペーパーとして判別するので、大小サイズの電子ペーパーを任意に複数枚重ねてペーパー装着部の下敷き上に正しく装着された電子ペーパーのうちの最上部に面した電子ペーパーを有効として、そこでのユーザ入力に応じたデータを確実にそのペーパー面に不揮発表示させることができる。
【手続補正２６】
【補正対象書類名】明細書
【補正対象項目名】００２９
【補正方法】変更
【補正の内容】
【００２９】
本発明の請求項６に記載の電子ペーパー記録装置によれば、前記請求項１に記載の電子ペーパー記録装置において、電子ペーパーは、ペーパー装着部の電源手段により出力されて無線により供給される電力を受給して動作することができる。
【手続補正２７】
【補正対象書類名】明細書
【補正対象項目名】００３０
【補正方法】変更
【補正の内容】
【００３０】
本発明の請求項７に記載の電子ペーパー記録装置によれば、前記請求項１に記載の電子ペーパー記録装置において、ペーパー装着部は、さらに、電子ペーパーのペーパー識別子記憶手段から通信手段を介して読み出される電子ペーパーの識別子に応じて当該ペーパー装着部に装着された複数の電子ペーパーそれぞれを識別することができる。
【手続補正２８】
【補正対象書類名】明細書
【補正対象項目名】００３１
【補正方法】変更
【補正の内容】
【００３１】
本発明の請求項８に記載の電子ペーパー記録装置によれば、前記請求項１に記載の電子ペーパー記録装置において、ペーパー装着部の通信手段と電子ペーパーの通信手段とは、電子ペーパーの綴じ込み部に対応したペーパー装着部の側に設けられた磁気コアと、このペーパー装着部側の磁気コアの位置に対応して電子ペーパーに埋設された磁気コアと、この磁気コアを囲んで設けられた平面環状コイルとからなる電磁誘導構造を以て信号を送受信するので、電子ペーパーの綴じ込み構造を上手く利用した無線通信手段を構築できる。
【手続補正２９】
【補正対象書類名】明細書
【補正対象項目名】００３２
【補正方法】変更
【補正の内容】
【００３２】
本発明の請求項９に記載の電子ペーパー記録装置によれば、前記請求項６に記載の電子ペーパー記録装置において、ペーパー装着部の電源供給手段と電子ペーパーの電源受給手段とは、電子ペーパーの綴じ込み部に対応したペーパー装着部の側に設けられた磁気コアと、このペーパー装着部側の磁気コアの位置に対応して電子ペーパーに埋設された磁気コアと、この磁気コアを囲んで設けられた平面環状コイルとからなる電磁誘導構造を以て電源電圧信号を供給／受給するので、電子ペーパーの綴じ込み構造を上手く利用した無線による電源供給手段を構築できる。
【手続補正３０】
【補正対象書類名】明細書
【補正対象項目名】００３３
【補正方法】変更
【補正の内容】
【００３３】
本発明の請求項１０に記載の電子ペーパー記録装置によれば、前記請求項１に記載の電子ペーパー記録装置において、ペーパー装着部の通信手段と電子ペーパーの通信手段とは、電子ペーパーの綴じ込み用の孔に対応したペーパー装着部の側に設けられた凸型磁気コアと、この凸型磁気コアの凸状部が挿通される前記電子ペーパーの綴じ込み用の孔を囲んで設けられた平面環状コイルとからなる電磁誘導構造を以て信号を送受信するので、電子ペーパーの綴じ込み孔を上手く利用した無線通信手段を構築できる。
【手続補正３１】
【補正対象書類名】明細書
【補正対象項目名】００３４
【補正方法】変更
【補正の内容】
【００３４】
本発明の請求項１１に記載の電子ペーパー記録装置によれば、前記請求項６に記載の電子ペーパー記録装置において、ペーパー装着部の電源供給手段と電子ペーパーの電源受給手段とは、電子ペーパーの綴じ込み用の孔に対応したペーパー装着部の側に設けられた凸型磁気コアと、この凸型磁気コアの凸状部が挿通される前記電子ペーパーの綴じ込み用の孔を囲んで設けられた平面環状コイルとからなる電磁誘導構造を以て電源電圧信号を供給／受給するので、電子ペーパーの綴じ込み孔を上手く利用した無線による電源供給手段を構築できる。
【手続補正３２】
【補正対象書類名】明細書
【補正対象項目名】００３５
【補正方法】変更
【補正の内容】
【００３５】
本発明の請求項１２に記載の電子ペーパー記録装置によれば、前記請求項１に記載の電子ペーパー記録装置において、電子ペーパーは、さらに、ペーパー装着部に対する装着位置を当該ペーパー装着部へ通知する装着位置通知手段を備え、ペーパー装着部は、さらに、操作位置検出手段により検出された前記電子ペーパーの表示画面に対するユーザ操作位置を前記電子ペーパーの装着位置通知手段により通知されるペーパー装着位置に応じて補正し、この補正後のユーザ操作位置に応じたデータを電子ペーパーの不揮発性表示手段により表示させるので、電子ペーパーの装着位置のずれに関係なく、手書き操作位置に正確に対応したデータを電子ペーパー面に不揮発表示させることができる。
【手続補正３３】
【補正対象書類名】明細書
【補正対象項目名】００３６
【補正方法】変更
【補正の内容】
【００３６】
本発明の請求項１３に記載の電子ペーパー記録装置によれば、前記請求項４に記載の電子ペーパー記録装置において、電子ペーパーの装着状態通知手段として設けられた電磁誘導コイルにより発生される電磁誘導信号を、ペーパー装着部の操作位置検出手段として設けられている電磁誘導信号の発生位置を検出するタブレットによって検出して、電子ペーパーがペーパー装着部に正しく装着された状態であることを検出できる。
【手続補正３４】
【補正対象書類名】明細書
【補正対象項目名】００３７
【補正方法】変更
【補正の内容】
【００３７】
本発明の請求項１４に記載の電子ペーパー記録装置によれば、前記請求項１２に記載の電子ペーパー記録装置において、電子ペーパーの装着位置通知手段として複数箇所に設けられた電磁誘導コイルにより発生される電磁誘導信号を、ペーパー装着部の操作位置検出手段として設けられている電磁誘導信号の発生位置を検出するタブレットによって検出して、電子ペーパーのペーパー装着部に対する装着位置を検出でき、同ペーパー装着部のタブレットにより検出された前記電子ペーパーの表示画面に対するユーザ操作位置を補正できる。
【手続補正３５】
【補正対象書類名】明細書
【補正対象項目名】００３８
【補正方法】変更
【補正の内容】
【００３８】
本発明の請求項１５に記載の電子ペーパー記録装置によれば、前記請求項１に記載の電子ペーパー記録装置において、ペーパー装着部のソフトキー制御手段によって、電子ペーパーをソフトキーボードとして機能させることができる。
【手続補正３６】
【補正対象書類名】明細書
【補正対象項目名】００３９
【補正方法】変更
【補正の内容】
【００３９】
本発明の請求項１６に記載の電子ペーパー記録装置によれば、前記請求項１に記載の電子ペーパー記録装置において、電子ペーパーをペーパー装着部に装着すると、電子ペーパーのペーパー識別子記憶手段から読み出される電子ペーパーの識別子が外部接続手段により接続されたサーバ装置へ送信され、当該サーバ装置から受信された表示コンテンツが前記電子ペーパーへ送信されその不揮発性表示手段により表示される。そして前記電子ペーパーの表示画面に対するユーザ操作位置がペーパー装着部の操作位置検出手段により検出されると、このユーザ操作位置が前記外部接続されたサーバ装置へ送信され、これに応答して該サーバ装置から受信されたデータが前記電子ペーパーへ送信されてその不揮発性表示手段により表示されるので、電子ペーパー上でのユーザ操作位置に対応したデータ表示が可能な紙のように扱える電子ペーパーを、サーバ−クライアントシステムの端末（ペーパークライアント）として使用することができる。
【手続補正３７】
【補正対象書類名】明細書
【補正対象項目名】００４０
【補正方法】変更
【補正の内容】
【００４０】
本発明の請求項１７に記載の電子ペーパー記録装置によれば、前記請求項１に記載の電子ペーパー記録装置において、下敷き構造部の代わりとなるバインダー構造部に、下敷き構造部同様の電磁誘導部ならびに制御装置を中心とする電子回路部を内蔵させるので、例えばブルートゥースにより外部接続される携帯通信情報機器での入力操作に応じて電子ペーパーに対するデータの入力・表示・編集処理を行ったり、あるいは当該携帯通信情報機器を介してシンクライアントシステムのサーバ装置と通信接続することにより各種データの入力・表示・編集処理を行ったりすることができる。